(57)【要約】【課題】ＰＴＣ面状ヒータを納まり良く配置する。現場寸法に合わせてＰＴＣ面状ヒータを切断して長さ変更を可能とする。ヒータ切断面の絶縁性能及び防水性能を向上させる。【解決手段】壁と床面の見切り材として使用される幅木本体４にＰＴＣ面状ヒータ３を内蔵して暖房幅木２Ａを構成し、現場寸法に合わせて暖房幅木２ＡをＰＴＣ面状ヒータ３ごと所定長さに切断可能とした幅木暖房装置１である。暖房幅木２Ａの切断面４ａに被せられる絶縁用キャップ５を設け、絶縁用キャップ５は、ヒータ切断面３ａ全体を被覆して電気的に絶縁する絶縁被覆部７と、絶縁被覆部７の上部から暖房幅木２Ａの上面側に延設されて少なくとも暖房幅木２Ａの上からヒータ切断面３ａと絶縁被覆部７との隙間への水の浸入を防止する上部水切り片８ａとを備える。【選択図】　　　　図１
2004028443.tif 000002
【特許請求の範囲】
【請求項１】
壁と床面の見切り材として使用される幅木本体にＰＴＣ面状ヒータを内蔵して暖房幅木を構成し、現場寸法に合わせて暖房幅木をＰＴＣ面状ヒータごと所定長さに切断可能とした幅木暖房装置であって、暖房幅木の切断面に被せられる絶縁用キャップを設け、該絶縁用キャップは、ヒータ切断面全体を被覆して電気的に絶縁する絶縁被覆部と、絶縁被覆部の上部から暖房幅木の上面側に延設されて少なくとも暖房幅木の上からヒータ切断面と絶縁被覆部との隙間への水の浸入を防止する上部水切り片とを備えていることを特徴とする幅木暖房装置。
【請求項２】
壁と床面の見切り材として使用される幅木本体にＰＴＣ面状ヒータを内蔵して暖房幅木を構成し、現場寸法に合わせて暖房幅木をＰＴＣ面状ヒータごと所定長さに切断可能とした幅木暖房装置であって、暖房幅木の切断面に被せられる絶縁用部材を設け、該絶縁用部材は、ヒータ切断面全体を被覆して電気的に絶縁する絶縁被覆部と、絶縁被覆部の上部に設けられて上方からの水を受ける樋部と、絶縁被覆部の裏面側に設けられて樋部内の水を床側に排水するための排水溝部とを備えていることを特徴とする幅木暖房装置。
【請求項３】
樋部の一側縁に暖房幅木の上枠部分に押し当てられる側方突片が突設されると共に、樋部に排水溝部の上端に向かって下り勾配を設けてなることを特徴とする請求項２記載の幅木暖房装置。
【請求項４】
ＰＴＣ面状ヒータのヒータ電極部以外の所定部位に釘打ち穴を開口すると共に、暖房幅木の表面側に釘打ち穴に対応する釘打ち可能部を設置してなることを特徴とする請求項１又は２又は３記載の幅木暖房装置。
【発明の詳細な説明】
【０００１】
【発明の属する技術分野】
本発明は、冬季のトイレ空間をより快適にする幅木暖房装置であり、且つトイレ室内への納まりに違和感がなく、しかみ現場寸法に合わせて長さ変更が可能な構成とする幅木暖房装置に関するものである。
【０００２】
【従来の技術】
冬季の寒いトイレ空間において、高齢者の居室との温度差からくるストレス解消や、トイレの寒さを解消するために、適切な暖房装置が必要と考えられている。現状のトイレ暖房は、北海道など全館暖房システムによるパネルヒータや暖房便座、床暖房、温風暖房及び壁面腰壁暖房などである。
【０００３】
【発明が解決しようとする課題】
ところで全館暖房システムは既に居室との温度差がなく、快適空間が得られているが、その他の居室別、部位別暖房を行なう場合にあっては、適切な暖房装置が必要となる。後者の場合、例えば、図９に示すように、壁パネル暖房装置５０や、パネルヒータなどの据え置き暖房装置５１にあっては、トイレ室内の暖房器具の納まりやデザイン性に課題がある。特にトイレ空間は狭い場合が多く、据え置き型だと邪魔になる。また、壁上部とか天井に取り付ける温風式暖房装置５２の場合は、足元と頭部の温度差があり、空気対流の不快感もある。特に、腰壁暖房はトイレ壁を腰壁にすることで、デザイン性や廊下等とのデザインバラツキが生じやすく、設置しにくいという難点がある。さらに、パネル暖房の場合、壁紙の貼り方や納まりに制約が多く、しかも壁面から突出するという難点もある。
【０００４】
本発明は、上記の従来例の問題点に鑑みて発明したものであって、その目的とするところは、トイレ内の幅木に熱源としてＰＴＣ面状ヒータを組み込むことによって納まりが良く違和感のない暖房幅木を構成でき、しかも現場寸法に合わせて暖房幅木をＰＴＣ面状ヒータごと切断して長さ変更が可能となり、そのうえ水がかかった場合等におけるヒータ切断面の絶縁性能及び防水性能を向上させることができる幅木暖房装置を提供することにある。
【０００５】
【課題を解決するための手段】
上記課題を解決するために本発明にあっては、壁と床面の見切り材として使用される幅木本体４にＰＴＣ面状ヒータ３を内蔵して暖房幅木２Ａを構成し、現場寸法に合わせて暖房幅木２ＡをＰＴＣ面状ヒータ３ごと所定長さに切断可能とした幅木暖房装置であって、暖房幅木２Ａの切断面４ａに被せられる絶縁用キャップ５を設け、該絶縁用キャップ５は、ヒータ切断面３ａ全体を被覆して電気的に絶縁する絶縁被覆部７と、絶縁被覆部７の上部から暖房幅木２Ａの上面側に延設されて少なくとも暖房幅木２Ａの上からヒータ切断面３ａと絶縁被覆部７との隙間への水の浸入を防止する上部水切り片８ａとを備えていることを特徴としており、このように構成することで、ＰＴＣ面状ヒータ３の納まりやデザイン性が向上し、さらに現場寸法に合わせて暖房幅木２ＡをＰＴＣ面状ヒータ３ごと切断することで、暖房幅木２Ａの長さ変更が可能となり、必要な箇所のみにＰＴＣ面状ヒータ３を設置することができ、さらに絶縁用キャップ５によってヒータ切断面３ａの絶縁性能及び防水性能を向上させることができるので、暖房幅木２Ａの上方から水などの液体をこぼした場合でもヒータ切断面３ａの絶縁性能が十分に確保され、ヒータ切断面３ａの防水性能を高めることができる。
【０００６】
また本発明にあっては、壁と床面の見切り材として使用される幅木本体４にＰＴＣ面状ヒータ３を内蔵して暖房幅木２Ａを構成し、現場寸法に合わせて暖房幅木２ＡをＰＴＣ面状ヒータ３ごと所定長さに切断可能とした幅木暖房装置１であって、暖房幅木２Ａの切断面４ａに被せられる絶縁用部材６を設け、該絶縁用部材６は、ヒータ切断面３ａ全体を被覆して電気的に絶縁する絶縁被覆部７と、絶縁被覆部７の上部に設けられて上方からの水を受ける樋部９と、絶縁被覆部７の裏面側に設けられて樋部９内の水を床側に排水するための排水溝部１０とを備えていることを特徴としており、このように構成することで、ＰＴＣ面状ヒータ３の納まりやデザイン性が向上し、さらに現場寸法に合わせて暖房幅木２ＡをＰＴＣ面状ヒータ３ごと切断することで、暖房幅木２Ａの長さ変更が可能となり、必要な箇所のみにＰＴＣ面状ヒータ３を設置することができ、さらに絶縁用部材６によってヒータ切断面３ａの絶縁性能及び防水性能が向上するので、暖房幅木２Ａの上方から水などの液体をこぼした場合でも、水滴等は樋部９内に流入して裏面側の排水溝部１０から下方に流すことができるので、ヒータ切断面３ａの絶縁性能が十分に確保され、ヒータ切断面３ａの防水性能を高めることができる。
【０００７】
また上記樋部９の一側縁に暖房幅木２Ａの上枠部分１１に押し当てられる側方突片１２が突設されると共に、樋部９に排水溝部１０の上端に向かって下り勾配Ｗを設けてなるのが好ましく、この場合、絶縁用キャップ６をヒータ切断面３ａ側に押し付けたときに、側方突片１２が暖房幅木２Ａの上枠部分１１に押し付けられることで、樋部９とヒータ切断面３ａとの隙間が側方突片１２で確実に覆われ、これにより隙間の防水性能を高めることができ、さらに樋部９の下り勾配Ｗによって樋部９内の水をスムーズに排水できるようになる。
【０００８】
また上記ＰＴＣ面状ヒータ３のヒータ電極部１７以外の所定部位に釘打ち穴１５を開口すると共に、暖房幅木２Ａの表面側に釘打ち穴１５に対応する釘打ち可能部を設置してなるのが好ましく、この場合、ＰＴＣ面状ヒータ３と釘との間を絶縁でき、絶縁性能が向上する。
【０００９】
【発明の実施の形態】
以下、本発明を添付図面に示す実施形態に基づいて説明する。
【００１０】
本実施例の幅木暖房装置１は、全館暖房システムは対象外とし、居室とトイレ室内との温度差のある居室別、部位別暖房を行なう場合を対象として使用されるものである。この幅木暖房装置１は、トイレ室内の壁と床面の見切り材として使用される幅木本体４にＰＴＣ面状ヒータ３を内蔵して暖房幅木２Ａを構成し、暖房幅木２ＡをＰＴＣ面状ヒータ３ごと所定長さに切断可能としたものである。
【００１１】
上記幅木本体４は、図１〜図３に示すように、合板等からなる裏面材２２と、化粧合板や無垢材等からなる表装材２３とからなり、その内側にＰＴＣ面状ヒータ３を納めて一体化することで暖房幅木２Ａが構成されている。ここで暖房幅木２Ａの高さは例えば１２５ｍｍ〜２００ｍｍ、長さは例えば７００ｍｍ〜１０００ｍｍの短寸タイプと、１５００ｍｍ〜１９００ｍｍの長寸タイプとがある。厚みは既存の幅木に合わせて設定される。またリード線の取り出し方向は、左側用、右側用の２種類から選択される。図３中の４０は便器、４１はロータンクである。
【００１２】
ＰＴＣ面状ヒータ３は、図４に示すように、上下のヒータ電極部１７間に板状抵抗体１８が配置されて構成されている。なお、ヒータ電極部１７は板状抵抗体１８の表裏面のどちらに配置されてもよい。ここで、板状抵抗体１８の材料としては、例えば黒鉛等の炭素材料が用いられており、ヒータ電極部１７の長手方向と直交する方向に切断することでＰＴＣ面状ヒータ３全体の長さを短くできるようになっている。ここで黒鉛等の炭素材料からなる板状抵抗体１８は切断によって発熱量が変化するのみで、特性は変わらないものである。つまり長さが半分になると発熱量も半分になるが、単位面積当りの温度−発熱量特性は変化しないものである。本例では、板状抵抗体１８の長手方向の一端側からヒータ電極部１７のリード線１９が引き出され、リード線１９の先端に接続コネクタ２０が設けられている。なお、板状抵抗体１８の長手方向の他端は、ヒータ電極部１７，１７間が短絡等しないように予め絶縁処理されている。
【００１３】
ここで、暖房幅木２Ａを組み立てるにあたっては、図４に示すように、予め、ＰＴＣ面状ヒータ３に所定間隔をあけて複数の釘打ち穴１５を形成し、表装材２３及び裏面材２２における釘打ち穴１５と対向する位置にそれぞれ開口１６ａ，１６ｂを形成する。そして開口１６ａ，１６ｂから釘打ち穴１５に、中央が細く両端がそれぞれ太くなったリベット２１を挿通し、そのリベット穴２１ａを暖房幅木２Ａの釘固定時の呼び穴として利用する。つまり、現場で図４（ａ）の矢印イで示すように、釘をリベット穴２１ａを通して壁に打ち込む。このときリベット穴２１ａは暖房幅木２ａの表面側に表れているため、このリベット穴２１ａが釘打ち可能部として機能することとなり、ＰＴＣ面状ヒータ３と釘との間を絶縁できる。またリベット径の大きさは取り付けピッチと各部材の伸縮寸法とから決められる。ここではＰＴＣ面状ヒータ３の釘打ち穴１５はリベット径よりも数ｍｍ程度大きくする。これにより、組み立て時の位置、寸法バラツキを吸収できるものであり、さらに熱によるＰＴＣ面状ヒータ３、木材の伸縮を吸収できるようになる。なお、リベット２１による固定方法に代えて、表装材２３と裏面材２２との間にＰＴＣ面状ヒータ３を挟み、これらを接着剤で接着するようにしてもよい。
【００１４】
絶縁用キャップ５は、暖房幅木２Ａの切断面４ａに被せられるものであり、軟質塩化ビニルやゴム等の絶縁材料からなる。この絶縁用キャップ５は、ヒータ切断面３ａ全体を被覆して電気的に絶縁する平板四角形状の絶縁被覆部７と、絶縁被覆部７の上部から暖房幅木２Ａの上面側に延設されて少なくとも暖房幅木２Ａの上からヒータ切断面３ａと絶縁被覆部７との隙間への水の浸入を防止する上部水切り片８ａと、絶縁被覆部７の前部に設けられて暖房幅木２Ａの前面から端部用幅木１３の前面に跨って配置される前面覆い部８ｂとで一体に構成されている。本例では上部水切り片８ａは絶縁被覆部７の上端を中心にして左右両側に張り出して、暖房幅木２Ａの上面側及び端部用幅木１３の上面側に被さるようになっている。
【００１５】
暖房幅木２Ａの切断面４ａ側には端部用幅木１３が設置され、リード線１９・接続コネクタ２０が引き出される側には、図１に示す切断面Ｂで切断されたコーナー端部用幅木１３Ａ，１３Ｂが設置される。コーナー端部用幅木１３Ａ，１３Ｂの裏面に設けた電線用溝３０に沿わせて電源線を配線する。なお端部用幅木１３，１３Ａ，１３Ｂの材質は、現場で切断しやすい木質材料等からなる。
【００１６】
次に、暖房幅木２Ａを現場に設置するにあたっては、図５に示すように、ＰＴＣ面状ヒータ３を内蔵している暖房幅木２Ａを、現場寸法に合わせてＰＴＣ面状ヒータ３ごと必要な長さに切断して使用する。例えば、暖房幅木２Ａの標準長さが１８０ｃｍ、現場で１７０ｃｍが必要な場合、現場でカッター等を用いて暖房幅木２ＡをＰＴＣ面状ヒータ３ごと１７０ｃｍより少し短いところで切断する。切断するのはリード線１９・接続コネクタ２０がない側とする。その後、暖房幅木２Ａの切断面４ａ及びヒータ切断面３ａに絶縁用キャップ５の絶縁被覆部７の一面を押し付け、絶縁被覆部７の反対側の他面に端部用幅木１３を突き付ける。これにより図２に示すように、絶縁用キャップ５の絶縁被覆部７がヒータ切断面３ａと端部用幅木１３との間に挟み込まれた状態となる。ヒータ切断面３ａとは反対側は絶縁用キャップ５を使用せず、直接、他の端部用幅木１３を突き付ける。また暖房用の電線は端部用幅木１３の裏面に設けた電線用溝３０に通すか、或いは裏面壁に穴をあけ、この穴に通す。その後、暖房幅木２Ａを端部用幅木１３と共に壁面に固定する。このとき、暖房幅木２Ａの固定はＰＴＣ面状ヒータ３と幅木本体４とを貫通するリベット２１の釘打ち穴１５（釘呼び穴）から釘を打ち込んで固定する。各端部用幅木１３は釘で直接固定する。
【００１７】
しかして、トイレ室内の幅木本体４に熱源としてＰＴＣ面状ヒータ３を組み込んで暖房幅木２Ａを形成することにより、ＰＴＣ面状ヒータ３の納まりに違和感がなくなる。つまり、幅木本体４にＰＴＣ面状ヒータ３を内蔵することで、狭いトイレ空間でも邪魔にならず、納まりやデザイン性がそれぞれ向上する。しかも、幅木を利用して足元を暖房できるので、従来の壁パネル暖房とか天井温風式暖房のように足元と頭部の温度差が生じることがなく、空気対流による不快感も生じることがない。さらに、幅木本体４を利用することでデザインを統一できると共に設置が容易となり、そのうえ従来の壁パネル暖房のようにトイレ壁面から大きく突出して見苦しくなるといった問題も生じなくなる。また、現場寸法に合わせてＰＴＣ面状ヒータ３を切断することで、ＰＴＣ面状ヒータ３の長さ変更が可能となり、必要な箇所のみにＰＴＣ面状ヒータ３を設置することができ、節電効果も期待できる。
【００１８】
さらに、絶縁用キャップ５によってヒータ切断面３ａの絶縁性能及び防水性能を向上させることができる。従って、暖房幅木２Ａの上方から水などの液体をこぼした場合、前部水切部と上部水切り片８ａとによって防水性能が確保され、しかもヒータ切断面３ａは絶縁用キャップ５の絶縁被覆部７によって覆われているため、ヒータ切断面３ａに水が染み込むのを確実に防止でき、ヒータ切断面３ａの絶縁性能が十分に確保され、ヒータ切断面３ａの防水性能を高めることができる。つまり、ヒータ切断面３ａに液体などが染み込むことによる絶縁破壊、短絡等の事故を未然に防止することができる。さらにＰＴＣ面状ヒータ３のヒータ電極部１７以外の所定部位、ここでは板状抵抗体１８の一部に釘打ち穴１５を開口すると共に、暖房幅木２Ａの表面側に釘打ち穴１５に対応する釘打ち可能部を設置しており、これにより、ＰＴＣ面状ヒータ３と釘とを確実に絶縁でき、絶縁性能を一層高めることができる。また端部用幅木１３Ａ，１３Ｂの裏面に設けた電線用溝３０に沿って配線ができるので、配線が外部に露出することがなく、デザイン性に優れたものとなる。
【００１９】
図６〜図８は他の実施形態を示している。ＰＴＣ面状ヒータ３を内蔵している暖房幅木２Ａを現場寸法に合わせてＰＴＣ面状ヒータ３ごと必要な長さに切断して使用する点、及び、暖房幅木２Ａを端部用幅木１３と共に壁面に固定する点は前記実施形態と同様であり、異なる点だけを述べる。本例では、暖房幅木２Ａの切断面４ａに被せられる平板四角形状の絶縁用部材６を端部用幅木１３の一端面に接着等によって固定してある。この絶縁用部材６は、ヒータ切断面３ａ全体を被覆して電気的に絶縁する絶縁被覆部７と、絶縁被覆部７の上部に設けられて上方からの水を受ける断面略Ｕ字状の樋部９と、樋部９内の水を床側に排水するための排水溝部１０とを備えている。ここでは、樋部９の一側縁に暖房幅木２Ａの上枠部分１１に押し当てられる薄肉ヒレ状の側方突片１２が突設され、絶縁用部材６の裏面側に樋部９内の水を床面側に排水するための排水溝部１０を設けてある。絶縁用キャップ６をヒータ切断面３ａ側に押し付けた状態で、側方突片１２が暖房幅木２Ａの上枠部分１１に押し付けられるようになり、これにより、樋部９とヒータ切断面３ａとの隙間の上部が側方突片１２で確実に覆われて、樋部９とヒータ切断面３ａとの隙間の防水性能が確保されるものである。この側方突片１２は、絶縁被覆部７の上部の前端から後端に亘って設けられていると共に、その先端部分から離れるに従い斜め下方に傾斜しており、これにより水滴等が側方突片１２の上を伝って樋部９の中央に集まり易くしてある。さらに樋部９は、前端が最も高く、排水溝部１０の上端に連なる後端が最も低くなるように下り勾配Ｗを有している。さらに樋部９の上方には斜めに切欠いた上枠下面１３ａが設けられ、この上枠下面１３ａにて樋部９が上方から覆われた形となっている。
【００２０】
このように端部用幅木１３に固定した絶縁用部材６によってヒータ切断面３ａの絶縁性能及び防水性能を向上させることができる。従って、暖房幅木２Ａの上方から水などの液体をこぼした場合、樋部９の側方突片１２と暖房幅木２Ａの上枠部分１１との密着によって、水滴等は側方突片１２に拾われて樋部９内に流入し、図６、図７（ｂ）の矢印ロで示すように、樋部９の下り勾配Ｗを伝って裏面側の排水溝部１０から下方に流すことができる。従って、ヒータ切断面３ａの絶縁性能が十分に確保され、ヒータ切断面３ａの防水性能を高めることができる結果、ヒータ切断面３ａに液体などが染み込むことによる絶縁破壊、短絡等の事故を未然に防止することができる。しかも側方突片１２は絶縁被覆部７よりも若干突出しており、絶縁用部材６をヒータ切断面３ａに押し付けたときに、側方突片１２が暖房幅木２Ａの上枠部分１１に確実に押し付けられた状態となり、隙間の防水性能を確実に高めることができるものである。しかも、端部用幅木１３と絶縁用部材６とが一体化されているため、外観が良くなり、しかも樋部９の上方は上枠下面１３ａにて覆われているため、端部用幅木１３の外観が樋部９によって損なわれないものである。
【００２１】
【発明の効果】
上述のように請求項１記載の発明にあっては、壁と床面の見切り材として使用される幅木本体にＰＴＣ面状ヒータを内蔵して暖房幅木を構成し、現場寸法に合わせて暖房幅木をＰＴＣ面状ヒータごと所定長さに切断可能とした幅木暖房装置であって、暖房幅木の切断面に被せられる絶縁用キャップを設け、該絶縁用キャップは、ヒータ切断面全体を被覆して電気的に絶縁する絶縁被覆部と、絶縁被覆部の上部から暖房幅木の上面側に延設されて少なくとも暖房幅木の上からヒータ切断面と絶縁被覆部との隙間への水の浸入を防止する上部水切り片とを備えているので、ＰＴＣ面状ヒータの納まりやデザイン性が向上し、さらに現場寸法に合わせて暖房幅木をＰＴＣ面状ヒータごと切断することで、暖房幅木の長さ変更が可能となり、必要な箇所のみにＰＴＣ面状ヒータを設置することができ、さらに絶縁用キャップによってヒータ切断面の絶縁性能及び防水性能を向上させることができるので、暖房幅木の上方から水などの液体をこぼした場合でもヒータ切断面の絶縁性能が十分に確保され、ヒータ切断面の防水性能を高めることができる。この結果、ヒータ切断面に液体などが染み込むことによる絶縁破壊、短絡等の事故を未然に防止できるものである。
【００２２】
また請求項２記載の発明は、壁と床面の見切り材として使用される幅木本体にＰＴＣ面状ヒータを内蔵して暖房幅木を構成し、現場寸法に合わせて暖房幅木をＰＴＣ面状ヒータごと所定長さに切断可能とした幅木暖房装置であって、暖房幅木の切断面に被せられる絶縁用部材を設け、該絶縁用部材は、ヒータ切断面全体を被覆して電気的に絶縁する絶縁被覆部と、絶縁被覆部の上部に設けられて上方からの水を受ける樋部と、絶縁被覆部の裏面側に設けられて樋部内の水を床側に排水するための排水溝部とを備えているので、ＰＴＣ面状ヒータを幅木本体に内蔵することで納まりやデザイン性が向上し、さらに現場寸法に合わせて暖房幅木をＰＴＣ面状ヒータごと切断することで、暖房幅木の長さ変更が可能となり、必要な箇所のみにＰＴＣ面状ヒータを設置することができ、さらに絶縁用部材によってヒータ切断面の絶縁性能及び防水性能を向上させることができる。従って、暖房幅木の上方から水などの液体をこぼした場合でも、水滴等は樋部内に流入して排水溝部から下方に流すことができるので、ヒータ切断面の絶縁性能が十分に確保され、ヒータ切断面の防水性能を高めることができる結果、ヒータ切断面に液体などが染み込むことによる絶縁破壊、短絡等の事故を未然に防止することができる。
【００２３】
また請求項３記載の発明は、請求項２記載の効果に加えて、樋部の一側縁に暖房幅木の上枠部分に押し当てられる側方突片が突設されると共に、樋部に排水溝部の上端に向かって下り勾配を設けてなるので、絶縁用キャップをヒータ切断面側に押し付けたときに、側方突片が暖房幅木の上枠部分に押し付けられることで、樋部とヒータ切断面との隙間の上部が側方突片で確実に覆われた状態となり、これにより隙間の防水性能を高めることができ、さらに樋部の下り勾配によって樋部内の水をスムーズに排水できるようになる。
【００２４】
また請求項４記載の発明は、請求項１又は２又は３記載の効果に加えて、ＰＴＣ面状ヒータのヒータ電極部以外の所定部位に釘打ち穴を開口すると共に、暖房幅木の表面側に釘打ち穴に対応する釘打ち可能部を設置してなるので、ＰＴＣ面状ヒータと釘との間を絶縁でき、絶縁性能が向上する。
【図面の簡単な説明】
【図１】本発明の実施形態の一例を示す分解斜視図である。
【図２】同上の組み立て後の斜視図である。
【図３】同上のトイレ内の暖房幅木の説明図である。
【図４】同上の暖房幅木をリベット止めする場合の説明図である。
【図５】同上の暖房幅木を所定長さでカットする場合の説明図である。
【図６】他の実施形態を示す分解斜視図である。
【図７】（ａ）は絶縁用部材を固定した端部用幅木の正面図、（ｂ）は側面図である。
【図８】同上の側方突片をヒータ切断面に押し付けた状態の説明図である。
【図９】従来例の説明図である。
【符号の説明】
１　幅木暖房装置
２Ａ　暖房幅木
３　ＰＴＣ面状ヒータ
３ａ　ヒータ切断面
４　幅木本体
５　絶縁用キャップ
６　絶縁用部材
７　絶縁被覆部
８　上部水切り片
９　樋部
１０　排水溝部
１１　上枠部分
１２　側方突片
１５　釘打ち穴
Ｗ　下り勾配
【図１】
2004028443.tif 000003
【図２】
2004028443.tif 000004
【図３】
2004028443.tif 000005
【図４】
2004028443.tif 000006
【図５】
2004028443.tif 000007
【図６】
2004028443.tif 000008
【図７】
2004028443.tif 000009
【図８】
2004028443.tif 000010
【図９】
2004028443.tif 000011